(57)【特許請求の範囲】
【請求項１】
経頭蓋磁気刺激システムにおいて、
対象者の頭部に当接又は近接させるコイル部と、
複数の可動部材の位置を調整する複数の調整機構を含み、該複数の調整機構による調整によって前記コイル部の位置及び姿勢を決定する機構部と、
前記コイル部の位置及び姿勢の少なくとも一方に対する所望の変更を受け付ける受付手段と、
前記受け付けた所望の変更に対応する、前記複数の調整機構による調整が成されるよう前記複数の調整機構の少なくとも一部について調整手順を案内する案内手段と、を備えた経頭蓋磁気刺激システム。
【請求項２】
前記受付手段は、前記コイル部の前記頭部に対する、前記複数の調整機構による調整の対象としての接触具合を特定する入力を前記所望の変更として受け付ける、請求項１に記載の経頭蓋磁気刺激システム。
【請求項３】
前記接触具合は、前記コイル部の外縁部のうち一部のみが前記頭部に接触する片当り状態である、請求項２に記載の経頭蓋磁気刺激システム。
【請求項４】
前記受付手段は、前記外縁部の前記頭部に対する接触の態様が互いに異なる複数種類の片当り状態を選択肢として有し、操作者の選択により一つの片当り状態が前記接触具合として入力される、請求項３に記載の経頭蓋磁気刺激システム。
【請求項５】
前記接触具合は、前記コイル部の前記頭部に対する密着状態を含む、請求項２に記載の経頭蓋磁気刺激システム。
【請求項６】
前記受付手段は、前記コイル部の位置及び姿勢の少なくとも一方の所定量の変更を前記所望の変更として受け付ける、請求項１に記載の経頭蓋磁気刺激システム。
【請求項７】
前記所定量の変更は、所定の方向における所定量の移動、又は、所定の回転方向における所定角度量の回転である、請求項６に記載の経頭蓋磁気刺激システム。
【請求項８】
前記受付手段は、前記所定の方向と所定の移動量との組合せ、又は、前記所定の回転方向と角度量との組合せが互いに異なる複数種類の変更を選択肢として有し、操作者により一つの変更が前記所望の変更として選択される、請求項７に記載の経頭蓋磁気刺激システム。
【請求項９】
前記複数の可動部材の現時点における位置を表す位置情報を取得する取得手段を備えており、
前記案内手段は、前記取得手段により取得された位置情報を用いて、前記調整手順を案内する、請求項１から請求項８のいずれか一項に記載の経頭蓋磁気刺激システム。
【請求項１０】
前記複数の可動部材の現時点における位置を表す位置情報を取得する取得手段を備えており、
前記受付手段は、前記コイル部の目標となる位置及び姿勢の少なくとも一方を前記所望の変更として受け付ける、請求項１に記載の経頭蓋磁気刺激システム。
【請求項１１】
前記案内手段は、前記取得手段により取得された位置情報を用いて、前記調整手順を案内する、請求項１０に記載の経頭蓋磁気刺激システム。
【請求項１２】
前記案内手段は、前記取得された位置情報が表す位置が、前記調整手順によって案内される位置と一致または許容範囲内で一致しているか否かを判定する、請求項１１に記載の経頭蓋磁気刺激システム。
【請求項１３】
前記案内手段は、調整すべき前記調整機構の順番と該調整機構の調整方向とを少なくとも示す、請求項１から請求項１２のいずれか一項に記載の経頭蓋磁気刺激システム。
【請求項１４】
前記案内手段は、現時点において調整すべき調整機構又は可動部材が強調され又は指し示された画像を表示する、請求項１から請求項１３のいずれか一項に記載の経頭蓋磁気刺激システム。
【請求項１５】
前記案内手段は、前記調整手順を音声で案内する、請求項１から請求項１４のいずれか一項に記載の経頭蓋磁気刺激システム。
【請求項１６】
前記機構部は、前記コイル部が移動方向の一つとして前記対象者の頭部の表面に対応した曲線に沿って移動するよう制御される、請求項１から請求項１５のいずれか一項に記載の経頭蓋磁気刺激システム。
【請求項１７】
前記機構部は、前記コイル部が、移動方向の一つとして前記対象者の上下方向に移動するよう制御される、請求項１から請求項１６のいずれか一項に記載の経頭蓋磁気刺激システム。
【請求項１８】
前記機構部は、前記コイル部が、移動方向の一つとして前記対象者の頭部の略中心に向かう方向に沿って移動するよう制御される、請求項１から請求項１７のいずれか一項に記載の経頭蓋磁気刺激システム。
【請求項１９】
対象者の頭部に当接又は近接させるコイル部を備えた経頭蓋磁気刺激システムにおける機構部の位置決め支援方法であって、
前記機構部は、複数の可動部材の位置を調整する複数の調整機構を含み、該複数の調整機構による調整によって前記コイル部の位置及び姿勢を決定する機構部であり、
前記コイル部の位置及び姿勢の少なくとも一方に対する所望の変更を受け付ける受付工程と、
前記受け付けた所望の変更に対応する、前記複数の調整機構による調整が成されるよう前記複数の調整機構の少なくとも一部について調整手順を案内する案内工程とを、装置が実行する位置決め支援方法。
【請求項２０】
対象者の頭部に当接又は近接させるコイル部を備えた経頭蓋磁気刺激システムにおける機構部の位置決め支援方法のためのコンピュータプログラムであって、
前記機構部は、複数の可動部材の位置を調整する複数の調整機構を含み、該複数の調整機構による調整によって前記コイル部の位置及び姿勢を決定する機構部であり、
前記コイル部の位置及び姿勢の少なくとも一方に対する所望の変更を受け付ける受付工程と、
前記受け付けた所望の変更に対応する、前記複数の調整機構による調整が成されるよう前記複数の調整機構の少なくとも一部について調整手順を案内する案内工程とを、コンピュータにより実行させるコンピュータプログラム。
【請求項２１】
１以上のセンサを含むセンサ部を用いて前記コイル部の前記頭部に対する接触具合を検出する検出手段を更に備え、
前記受付手段は、前記検出された接触具合の入力を受け付ける、請求項２に記載の経頭蓋磁気刺激システム。
【請求項２２】
前記検出手段は、前記接触具合を定量的に検出し、
前記案内手段は、該定量的に検出された接触具合に基づいて、前記調整機構の調整量または目標位置を求める、請求項２１に記載の経頭蓋磁気刺激システム。
【請求項２３】
前記接触具合は、前記コイル部の外縁部のうち一部のみが前記頭部に接触する片当り状態と、前記コイル部の前記頭部に対する密着状態との少なくとも一つを含む、請求項２１または請求項２２に記載の経頭蓋磁気刺激システム。
【請求項２４】
前記センサ部は、撮像センサ、超音波センサ、赤外線センサ、圧力センサ、機械スイッチセンサ、静電センサ、及び加速度センサのうち少なくとも一つを含む、請求項２１から請求項２３のいずれか一項に記載の経頭蓋磁気刺激システム。
【発明の詳細な説明】
【技術分野】
【０００１】
本発明は、経頭蓋磁気刺激システム及び位置決め支援方法に関し、詳しくは、経頭蓋磁気刺激システムが備える機構部の位置決めを支援する技術に関する。
【背景技術】
【０００２】
従来、経頭蓋磁気刺激システムが知られている。このシステムは、対象者の疼痛緩和やうつ病等の検査や治療、脳への磁気刺激に関する研究などを目的として、対象者の脳へ頭蓋を介して非侵襲的に磁気刺激を与えるシステムである（例えば、特許文献１等を参照）。【０００３】
磁気刺激は、磁気刺激コイル（以下、単にコイルという）を対象者の頭部の刺激部位近傍に配置し、このコイルにパルス電流を流し、刺激を与える対象となる部位（以下、刺激部位という）に変動磁場による誘導電流を発生させることにより成される。そのため、このシステムには、一般的に、コイルを支え持ち、任意の位置や姿勢（向き）で保持することができる機構部が備わっている。また、この機構部は、通常、複数の可動部材の位置を調整するための複数の機構を含んでおり、これらの機構によって可動部材の位置を調整することにより、コイルの位置が精密に決定される。【０００４】
一方、コイルの適正な位置及び姿勢は、目的に応じて、かつ、対象者ごとに異なる。例えば、疼痛緩和を目的とする場合には、刺激部位は、疼痛部位に対応する脳内の運動野と呼ばれる解剖学的領域になる。また、そのような解剖学的領域に磁気刺激を効率よく与えるには、対象者の頭蓋の形状や脳溝などを含む脳の形状を考慮して磁気刺激の向きを定める必要があるが、頭蓋や脳の形状は個人差が大きい。そのため、システムの操作者は、目的及び対象者に合わせて、コイルの位置及び姿勢をその都度調整することになる。
【先行技術文献】
【特許文献】
【０００５】
【特許文献１】特許第５４５３３２５号公報
【発明の概要】
【発明が解決しようとする課題】
【０００６】
しかしながら、経頭蓋磁気刺激システムの機構部においては、種々の理由から可動部材の動きが複雑になることがある。例えば、磁気刺激を与える対象が人間の頭部であるため、システムにおける幾つかの可動部材は、コイルが頭部表面に対応した曲線に沿って移動したり、頭部の中心に向かう方向に移動したり、当該方向を軸に回転したりするよう構成されていることが多い。特に、頭部表面に対応した曲線に沿って移動するようなコイルの動きを実現するための各可動部材の動作は著しく複雑化する。したがって、システムの操作者は、コイルを所望の位置及び姿勢に迅速に調整することが難しい場合がある。【０００７】
このような事情により、経頭蓋磁気刺激システムにおける機構部の迅速な位置決めを支援できる技術が望まれている。
【課題を解決するための手段】
【０００８】
第１の観点の発明は、
経頭蓋磁気刺激システムにおいて、
対象者の頭部に当接又は近接させるコイル部と、
複数の可動部材の位置を調整する複数の調整機構を含み、該複数の調整機構による調整によって前記コイル部の位置及び姿勢を決定する機構部と、
前記コイル部の位置及び姿勢の少なくとも一方に対する所望の変更を受け付ける受付手段と、
前記受け付けた所望の変更が成されるよう前記複数の調整機構の少なくとも一部について調整手順を案内する案内手段と、を備えた経頭蓋磁気刺激システムを提供する。【０００９】
第２の観点の発明は、
前記受付手段が、前記コイル部の前記頭部に対する接触具合の入力を前記所望の変更として受け付ける、上記第１の観点の経頭蓋磁気刺激システムを提供する。【００１０】
第３の観点の発明は、
前記接触具合が、前記コイル部の外縁部のうち一部のみが前記頭部に接触する片当り状態である、上記第２の観点の経頭蓋磁気刺激システムを提供する。【００１１】
第４の観点の発明は、
前記受付手段が、前記外縁部の前記頭部に対する接触の態様が互いに異なる複数種類の片当り状態を選択肢として有し、操作者の選択により一つの片当り状態が前記接触具合として入力される、上記第３の観点の経頭蓋磁気刺激システムを提供する。【００１２】
第５の観点の発明は、前記接触具合が、前記コイル部の前記頭部に対する密着状態を含む、請求項２に記載の経頭蓋磁気刺激システムを提供する。【００１３】
第６の観点の発明は、
前記受付手段が、前記コイル部の位置及び姿勢の少なくとも一方の所定量の変更を前記所望の変更として受け付ける、上記第１の観点の経頭蓋磁気刺激システムを提供する。【００１４】
第７の観点の発明は、
前記相対的な所定量の変更が、所定の方向における所定量の移動、又は、所定の回転方向における所定角度量の回転である、上記第６の観点の経頭蓋磁気刺激システムを提供する。【００１５】
第８の観点の発明は、
前記受付手段が、前記所定の方向と所定の移動量との組合せ、又は、前記所定の回転方向と角度量との組合せが互いに異なる複数種類の変更を選択肢として有し、操作者により一つの変更が前記所望の変更として選択される、上記第７の観点の経頭蓋磁気刺激システムを提供する。【００１６】
第９の観点の発明は、
前記複数の可動部材の現時点における位置を表す位置情報を取得する取得手段を備えており、
前記案内手段が、前記取得手段により取得された位置情報を用いて、前記調整手順を案内する、上記第１の観点から第８の観点のいずれか一つの観点の経頭蓋磁気刺激システムを提供する。【００１７】
第１０の観点の発明は、
前記複数の可動部材の現時点における位置を表す位置情報を取得する取得手段を備えており、
前記受付手段が、前記コイル部の目標となる位置及び姿勢の少なくとも一方を前記所望の変更として受け付ける、上記第１の観点の経頭蓋磁気刺激システムを提供する。【００１８】
第１１の観点の発明は、
前記案内手段が、前記取得手段により取得された位置情報を用いて、前記調整手順を案内する、上記第１０の観点の経頭蓋磁気刺激システムを提供する。【００１９】
第１２の観点の発明は、前記案内手段が、前記取得された位置情報が表す位置が、前記調整手順によって案内される位置と一致または許容範囲内で一致しているか否かを判定する、上記第１１の観点の経頭蓋磁気刺激システムを提供する。【００２０】
第１３の観点の発明は、
前記案内手段が、調整すべき前記複数の調整機構の順番と該調整機構の調整方向とを少なくとも示す、上記第１の観点から第１２の観点のいずれか一つの観点の経頭蓋磁気刺激システムを提供する。【００２１】
第１４の観点の発明は、
前記案内手段が、現時点において調整すべき前記調整機構又は前記可動部材が強調され又は指し示された画像若しくは動画を表示する、上記第１の観点から第１３の観点のいずれか一つの観点の経頭蓋磁気刺激システムを提供する。【００２２】
第１５の観点の発明は、
前記案内手段が、前記調整手順を音声で案内する、上記第１の観点から第１４の観点のいずれか一項に記載の経頭蓋磁気刺激システム。【００２３】
第１６の観点の発明は、
前記機構部が、前記コイル部が移動方向の一つとして前記対象者の頭部の表面に対応した曲線に沿って移動するよう制御される、上記第１の観点から第１５の観点のいずれか一つの観点の経頭蓋磁気刺激システムを提供する。【００２４】
第１７の観点の発明は、
前記機構部が、前記コイル部が移動方向の一つとして前記対象者の上下方向に移動するよう制御される、上記第１の観点から第１６の観点のいずれか一つの観点の経頭蓋磁気刺激システムを提供する。【００２５】
第１８の観点の発明は、
前記機構部が、前記コイル部が移動方向の一つとして前記対象者の頭部の略中心に向かう方向に沿って移動するよう制御される、上記第１の観点から第１７の観点のいずれか一つの観点の経頭蓋磁気刺激システムを提供する。【００２６】
第１９の観点の発明は、
経頭蓋磁気刺激システムにおける機構部の位置決め支援方法であって、
前記機構部が、複数の可動部材の位置を調整する複数の調整機構を含み、該複数の調整機構による調整によって前記コイル部の位置及び姿勢を決定する機構部であり、
前記コイル部の位置及び姿勢の少なくとも一方に対する所望の変更を受け付ける受付工程と、
前記受け付けた所望の変更が成されるよう前記複数の調整機構の少なくとも一部について調整手順を案内する案内工程とを、装置により実行させる位置決め支援方法を提供する。【００２７】
第２０の観点の発明は、
経頭蓋磁気刺激システムにおける機構部の位置決め支援方法のためのコンピュータプログラムであって、
前記機構部は、複数の可動部材の位置を調整する複数の調整機構を含み、該複数の調整機構による調整によって前記コイル部の位置及び姿勢を決定する機構部であり、
前記コイル部の位置及び姿勢の少なくとも一方に対する所望の変更を受け付ける受付工程と、
前記受け付けた所望の変更が成されるよう前記複数の調整機構の少なくとも一部について調整手順を案内する案内工程とを、コンピュータにより実行させるコンピュータプログラムを提供する。
なお、当該コンピュータプログラムは、コンピュータ読取可能な記録媒体に記録された形態で提供されてもよいし、サーバに保存され当該サーバからダウンロードされる形態で提供されてもよい。【００２８】
第２１の観点の発明は、
１以上のセンサを含むセンサ部を用いて前記コイル部の前記頭部に対する接触具合を検出する検出手段を更に備え、
前記受付手段が、前記検出された接触具合の入力を受け付ける、上記第２の観点の経頭蓋磁気刺激システムを提供する。【００２９】
第２２の観点の発明は、
前記検出手段が、前記接触具合を定量的に検出し、
前記案内手段が、該定量的に検出された接触具合に基づいて、前記調整機構の調整量または目標位置を求める、上記第２１の観点の経頭蓋磁気刺激システムを提供する。【００３０】
第２３の観点の発明は、
前記接触具合が、前記コイル部の外縁部のうち一部のみが前記頭部に接触する片当り状態と、前記コイル部の前記頭部に対する密着状態との少なくとも一つを含む、上記第２１の観点または第２２の観点の経頭蓋磁気刺激システムを提供する。【００３１】
第２４の観点の発明は、
前記センサ部が、撮像センサ、超音波センサ、赤外線センサ、圧力センサ、機械スイッチセンサ、静電センサ、及び加速度センサのうち少なくとも一つを含む、上記第２１の観点から第２４の観点のいずれか一つの観点の経頭蓋磁気刺激システムを提供する。
【発明の効果】
【００３２】
本発明によれば、受付手段が、コイル部の位置及び姿勢の少なくとも一方に対する所望の変更を受け付け、案内手段が、その変更が成されるように、コイル部を支持する機構部に含まれる複数の調整機構の少なくとも一部について調整手順を案内する。そのため、操作者は、案内される調整手順に従って調整機構を調整するだけで、コイル部を所望の位置及び姿勢に調整することができ、機構部の位置決めを迅速に行うことができる。【００３３】
また、本発明によれば、操作者は、調整手順の案内を繰り返し受けることで、機構部における位置決めの調整技術を早期に習得することができる。
【図面の簡単な説明】
【００３４】
【図１】第１実施形態に係る経頭蓋磁気刺激システムの構成を概略的に示す図である。
【図２】位置決め機構部の構成を概略的に示す図である。
【図３】体格調整機構及びヘッドギアの構成を示す図である。
【図４】ヘッドギアにおけるコイル部の調整方向を示す図である。
【図５】第１実施形態における制御装置の構成を示す図である。
【図６】第１実施形態における制御装置の機能ブロック図である。
【図７】片当り状態の一例として、頭頂部側（上側）の片当り状態を示す図である。
【図８】本実施形態に係る経頭蓋磁気刺激システムにおける治療開始までの処理の流れを示すフロー図である。
【図９】調整手順を案内する処理の流れを示す図である。
【図１０】片当り状態選択画面の一例を示す図である。
【図１１】調整手順を示すフロー図の一例である。
【図１２】ロール方向の回動軸が理想より低い位置にある場合の頭部とコイル部との位置関係を示す図である。
【図１３】ロール方向の回動軸が理想的な位置にある場合の頭部とコイル部との位置関係を示す図である。
【図１４】第２実施形態に係る経頭蓋磁気刺激システムの構成を概略的に示す図である。
【図１５】第２実施形態における制御装置の構成を示す図である。
【図１６】第２実施形態における制御装置の機能ブロック図である。
【図１７】各調整機構の位置情報を用いて調整手順を案内する場合の処理の流れを示すフロー図である。
【図１８】コイルの頭頂部側の片当り状態を解消するための調整手順を案内する場合の表示例１である。
【図１９】コイルの頭頂部側の片当り状態を解消するための調整手順を案内する場合の表示例２である。
【図２０】コイルの頭頂部側の片当り状態を解消するための調整手順を案内する場合の表示例３である。
【図２１】コイルの頭頂部側の片当り状態を解消するための調整手順を案内する場合の表示例４である。
【図２２】コイル部を目標の位置及び姿勢に変更するための調整手順を案内する場合の処理の流れを示すフロー図である。
【図２３】第４実施形態に係る経頭蓋磁気刺激システムの構成を概略的に示す図である。
【図２４】第４実施形態における制御装置の機能ブロック図である。
【発明を実施するための形態】
【００３５】
本発明の実施形態について詳しく説明する。なお、本発明は、以下に説明する実施形態に限定されない。また、以下の実施形態において、同一、同等、または共通の機能を有する要素については、同一の記号を付して表すものとする。
【００３６】
（第１実施形態）
第１実施形態に係る経頭蓋磁気刺激システムは、対象者の疼痛緩和を目的とした磁気刺激治療に適した構成を有しており、コイル部の位置決めを精密に行い、それを再現できる機構部を備えている。
【００３７】
また、第１実施形態に係る経頭蓋磁気刺激システムは、その機構部の迅速な位置決めを支援するため、コイル部の位置及び姿勢に対する所望の変更が入力されると、その変更が成されるような調整手順を案内するよう構成されている。
【００３８】
第１実施形態に係る経頭蓋磁気刺激システムの構成について説明する。
【００３９】
図１は、第１実施形態に係る経頭蓋磁気刺激システム１の構成を概略的に示す図である。
【００４０】
図１に示すように、経頭蓋磁気刺激システム１は、磁気刺激回路部１０と、位置決め機構部３０と、位置情報表示部４０と、制御装置５０とを有している。
【００４１】
磁気刺激回路部１０は、変動磁場を形成して誘導電流による刺激（以下この明細書において単に「磁気刺激」ということがある）を対象者の脳に与えるよう構成されたものである。磁気刺激回路部１０は、コイル部１１と、コイル部１１に接続されたコイル駆動部１２とを有している。コイル部１１は、頭部当接面を有しており、この面が対象者の頭部（脳）のうち磁気刺激を与えたい部位に近接または当接するよう配置される。コイル部１１は、電流が流れると磁場を形成する。コイル駆動部１２は、コイル部１１にパルス状の電流を流して、コイル部１１と所定の位置関係にある場所に瞬間的に変動磁場を形成させる。この変動磁場による誘導電流が、対象者の脳に対する磁気刺激となる。
【００４２】
位置決め機構部３０は、対象者に磁気刺激を与える際にシステム内の各部（特にコイル部１１）と対象者の脳との位置関係を必要に応じて調整するための機構部である。なお、図１では、位置決め機構部３０を示すブロック内にコイル部１１と位置情報表示部４０とが含まれているが、これは、コイル部１１と位置情報表示部４０とが、位置決め機構部３０と物理的に近接している例を示すためであり、これら要素間の包含関係を示すものではない。
【００４３】
図２に位置決め機構部３０の構成を概略的に示す。
【００４４】
図２に示すように、位置決め機構部３０は、椅子３１と、体格調整機構３２と、ヘッドギア３３と、を有している。
【００４５】
椅子３１は、座面と背もたれとを有しており、対象者の身体全体を座った姿勢で保持できるよう構成されている。
【００４６】
図３に体格調整機構３２及びヘッドギア３３の構成を示す。
【００４７】
体格調整機構３２は、対象者の体格に応じて、椅子３１に座った対象者の後頭部を支持することができるよう構成されている。
【００４８】
図３に示すように、体格調整機構３２は、後頭部レスト３２１と、前後方向調整機構３２２と、上下方向調整機構３２３と、体格調整ガイド３２４と、高さ調整機構３２５と、を有している。
【００４９】
後頭部レスト３２１は、対象者の後頭部を支持できるように構成されており、後頭部を受ける湾曲凹面を有している。後頭部レスト３２１は、前後方向調整機構３２２及び上下方向調整機構３２３により支持されている。前後方向調整機構３２２は、後頭部レスト３２１の位置を、対象者の前後方向に調整することができる。上下方向調整機構３２３は、後頭部レスト３２１の位置を、椅子３１に座った対象者の上下方向（椅子３１の背もたれ方向）に調整することができる。前後方向調整機構３２２及び上下方向調整機構３２３は、体格調整ガイド３２４により支持されている。
【００５０】
体格調整ガイド３２４は、高さ調整機構３２５によって支持されている。高さ調整機構３２５は、体格調整ガイド３２４の高さを、椅子３１に座った対象者の上下方向に沿って調整することができる。
【００５１】
ヘッドギア３３は、コイル部１１を支持し、コイル部１１の位置及び姿勢を調整することができるように構成されている。
【００５２】
図３に示すように、ヘッドギア３３は、押付方向調整機構３３１と、ヨー方向調整機構３３２と、ピッチ方向調整機構３３３と、ロール方向調整機構３３４と、ヘッドギアガイド３３５と、着脱機構３３６とを有している。
【００５３】
図４にヘッドギア３３におけるコイル部１１の調整方向を示す。本例では、図４に示すように、コイル部１１の調整方向は、押付方向Ｆ、ヨー方向Ｙ、ピッチ方向Ｐ、及びロール方向Ｒ、の４方向である。押付方向Ｆは、コイル部１１を対象者９０の頭部に押し付ける方向、すなわち、対象者９０の頭部の略中心に向かう方向Ｊである。ヨー方向Ｙは、対象者９０の頭部の略中心に向かう方向を軸とした回転方向である。ピッチ方向Ｐは、対象者９０の頭部の前後方向における表面に対応した曲線方向である。ロール方向Ｒは、対象者９０の頭部の左右方向における表面に対応した曲線方向である。なお、頭部の表面に対応した曲線方向とは、後述する最適刺激位置の探索において、コイル部１１の位置を頭部の表面に沿ってスムーズに移動させることができるような曲線方向である。例えば、成人頭部の平均的な大きさ及び形状を有する頭部モデルの表面の曲率に近似した曲率、あるいはそれより若干小さい（緩い）曲率を有する曲線の方向である。
【００５４】
図３に示すように、コイル部１１は、押付方向調整機構３３１により支持されている。押付方向調整機構３３１は、コイル部１１の位置を、押付方向Ｆに調整することができる。押付方向調整機構３３１は、ヨー方向調整機構３３２により支持されている。ヨー方向調整機構３３２は、押付方向調整機構３３１の回転位置をヨー方向Ｙに調整することができる。ヨー方向調整機構３３２は、ピッチ方向調整機構３３３に支持されている。ピッチ方向調整機構３３３は、ヨー方向調整機構３３２の位置をピッチ方向Ｐに調整することができる。ピッチ方向調整機構３３３は、ロール方向調整機構３３４に支持されている。ロール方向調整機構３３４は、ピッチ方向調整機構３３３の傾き角度をロール方向Ｒに調整することができる。ロール方向調整機構３３４は、ヘッドギアガイド３３５に支持されている。ヘッドギアガイド３３５は、着脱機構３３６により支持されている。着脱機構３３６は、ヘッドギアガイド３３５を、体格調整ガイド３２１に対して、椅子３１に座った対象者９０の上下方向に沿って着脱可能にスライドさせることができる。
【００５５】
図３に示すように、位置情報表示部４０は、位置決め機構部３０を構成する各調整機構における可動部材の位置情報を表示する。位置情報表示部４０は、複数の位置表示部４１を有している。位置表示部４１は、一つの調整機構すなわち一つの可動部材に対して一つずつ設けられている。位置表示部４１は、対応する可動部材の位置を示す情報を視覚的に確認可能な態様で表示する。操作者は、この位置表示部４１が表示する位置情報を目視で確認することにより、その位置を把握することができる。
【００５６】
位置表示部４１としては、例えば、デジタル式またはアナログ式のインジケータを考えることができる。インジケータとしては、例えば、目盛、角度計、ポジションインジケータ等を考えることができる。ポジションインジケータは、可動部材の基準位置からの移動量（繰り出し量）をカウンタや液晶画面で表示するものである。
【００５７】
図５に第１実施形態における制御装置のハードウエア構成例を示す。
【００５８】
図５に示すように、制御装置５０は、例えば、コンピュータにより構成されている。制御装置５０は、主要部として、操作部５１と、ディスプレイ部５２と、演算部５３と、インタフェース部５４と、記憶部５５とを有している。
【００５９】
操作部５１は、操作者から操作を受けて種々の入力がなされる。操作部５１としては、例えば、キーボードやマウスなどを考えることができる。
【００６０】
ディスプレイ部５２は、各種情報を画面に表示する。ディスプレイ部５２としては、例えば、液晶ディスプレイや有機ＥＬディスプレイ等を考えることができる。なお、操作部５１及びディスプレイ部５２は、これらが一体的に構成されたタッチパネル式ディスプレイとすることもできる。また、制御装置５０は、そのようなタッチパネル式ディスプレイを備えたモバイル端末により実現されるものでもよい。この場合、操作者は、モバイル端末を所望の場所に持っていけるので、画面の操作や閲覧を行いながら位置決め機構部３０の調整等を行うことができる。
【００６１】
演算部５３は、プロセッサであり、いわゆるＭＰＵあるいはＣＰＵと呼ばれる半導体ＩＣである。演算部５３は、キャッシュメモリを有していてもよい。
【００６２】
インタフェース部５４は、操作部５１及びディスプレイ部５２と演算部５３との間における種々のデータのやり取りを行う。
【００６３】
記憶部５５は、各種データを記憶したり、演算部５３に実行させるためのプログラム等を記憶したりする。記憶部５５としては、例えば、ＨＤＤ（Hard Disc Drive)や、フラッシュメモリを用いたＳＳＤ（Solid State Device）等を考えることができる。
【００６４】
制御装置５０は、演算部５３が記憶部５５に記憶されている所定のプログラムを読み出して実行することにより、複数の機能ブロックとして機能する。
【００６５】
図６に第１実施形態における制御装置の機能ブロック図を示す。
【００６６】
ここでは、図６に示すように、制御装置５０は、機能ブロックとして、受付部５０１、案内部５０２、及びコイル駆動制御部５０３を有する。
【００６７】
受付部５０１は、操作者の操作により種々の入力を受け付ける。本例では、受付部５０１は、磁気刺激条件、磁気刺激発生指令、治療開始指令などの入力を受け付ける。磁気刺激条件には、磁気刺激強度、治療を行うときの磁気刺激の発生パターンなどが含まれる。
【００６８】
また、本例では、受付部５０１は、コイル部１１の位置及び姿勢の少なくとも一方に対する所望の変更の入力を受け付けるものとする。この変更の入力は、事前に登録されている複数種類の変更の中から一つを操作者が選択することにより行われるものとする。
【００６９】
上記の「変更」は、コイル部１１の対象者頭部に対する所定の接触具合を改善または解消するための変更を含む。
【００７０】
本例では、「変更」は、コイル部１１の片当り状態を解消するための変更である。片当り状態とは、コイル部１１の頭部当接面が対象者の頭部表面に対して傾いているために、コイル部１１における頭部当接面の外縁部のうち一部のみが頭部表面に接触するような状態のことである。
【００７１】
また、本例では、「複数種類の変更」は、複数種類の片当り状態の各々についてその片当り状態を解消するための変更である。複数種類の片当り状態は、コイル部１１の頭部当接面の外縁部のうちどの部分が対象者頭部に接触しているのかによって分類される。本例では、コイル部１１の対象者頭部に接触する場所として、頭頂部側（上側）、側頭部側（下側）、前頭部側（前側）、後頭部側（後側）、側頭部と前頭部の間（前斜め下側）、頭頂部と後頭部の間（後斜め上側）、の６種類を考える。なお、接触する場所の分類は一例であり、これらに限定されるものではない。
【００７２】
図７に、片当り状態の一例として、頭頂部側（上側）の片当り状態を示す。疼痛緩和治療の場合には、脳の前後方向における中央部付近に存在する運動野に刺激部位がある。頭頂部側の片当り状態としては、図７に示すように、コイル部１１の頭部当接面における外縁部の頭頂部側（上側）Ｕが、対象者９０の頭頂部から側頭部までの間の領域に接触することが多いと考えられる。
【００７３】
案内部５０２は、コイル部１１の位置及び姿勢の少なくとも一方における所望の変更が受付部５０１に入力されると、その変更を成すような調整手順を案内する。案内部５０２は、図６に示すように、複数種類の調整手順情報を記憶している調整手順記憶部５０２Ａを有している。「複数種類の調整手順情報」は、それぞれ、「複数種類の変更」の各々と対応付けされている。案内部５０２は、入力された所望の変更に対応した調整手順情報を、調整手順記憶部５０２Ａから読み出し、その調整手順情報が表す調整手順を視覚的あるいは聴覚的に案内する。調整手順を視覚的に案内する場合には、例えば、調整手順を示す図や表を単にハードウエアとしてのディスプレイ部５２で表示するだけでもよいし、動画を用いて理解し易くナビゲーションするようにしてもよい。あるいは、各調整機構に発光部を設け、調整する必要のある調整機構の発光部を順次発光させるように制御してもよい。
【００７４】
なお、案内部５０２は、入力された所望の変更に基づいて所定の計算を行い、その結果を基に当該所望の変更を成すような調整手順を求めて案内してもよい。
【００７５】
コイル駆動制御部５０３は、受付部５０１で受け付けた各種指令に応じてコイル駆動部１２を制御する。本例では、コイル駆動制御部５０３は、単発磁気刺激指令に応答して、設定された磁気刺激条件に従って単発の磁気刺激を対象者９０に与えるべく、コイル駆動部１２を制御する。また、コイル駆動制御部５０３は、治療開始指令に応答して、設定された磁気刺激条件に従って複数発の磁気刺激を所定のパターンで対象者９０に与えるべく、コイル駆動部１２を制御するものであってもよい。
【００７６】
なお、本実施形態における受付部５０１及び案内部５０２は、それぞれ、本発明における受付手段及び案内手段の一例である。
【００７７】
これより、本実施形態に係る経頭蓋磁気刺激システム１における処理の流れについて説明する。
【００７８】
図８は、本実施形態に係る経頭蓋磁気刺激システム１における治療開始までの処理の流れを示すフロー図である。
【００７９】
ステップＳ１０１では、体格調整を行う。
具体的には、操作者は、まず、対象者９０を椅子３１に座らせる。このとき、ヘッドギア３３が体格調整ガイド３２４に接続されている場合には、着脱機構３３６を操作して、ヘッドギア３３を上側に上げる。次に、操作者は、高さ調整機構３２５により、体格調整ガイド３２４の高さを対象者９０の体格に合わせて調整する。また、操作者は、前後方向調整機構３２２及び上下方向調整機構３２３により、後頭部レスト３２１の位置を対象者９０の後頭部に合うよう前後上下方向に調整する。
【００８０】
ステップＳ１０２では、ヘッドギア３３の接続を行う。
具体的には、操作者は、着脱機構３３６を操作して、ヘッドギアガイド３３５を下側に降ろし、体格調整ガイド３２１に接続する。
【００８１】
ステップＳ１０３では、コイル位置の仮設定を行う。
具体的には、操作者は、ヘッドギア３３の各調整機構を調整してコイル部１１の位置を仮設定する。仮設定する位置は、対象者９０の頭部の医用画像を参照し疼痛部位に応じて指定された刺激部位に対応した位置である。
なお、このコイル位置の仮設定において、上述の通り、各調整機構の調整がうまくいかず、更には効率の良い調整手順も分かりづらいという状況が発生し得る。この場合の対応については、後述する。
【００８２】
ステップＳ１０４では、最適刺激位置の探索を行う。
具体的には、操作者は、受付部５０１（ハードウエア上での操作部５１）での入力操作を行い、磁気刺激強度を比較的強く設定する。そして、ヘッドギア３３の各調整機構を調整してコイル部１１の位置を仮設定した位置の周辺で少しずつ変えながら、磁気刺激発生指令を受付部５０１においてその都度入力する。コイル駆動制御部５０３は、その磁気刺激発生指令に逐次応答して磁気刺激を発生させる。操作者は、磁気刺激を発生させるごとに対象者９０のトゥイッチ反応を見る。そして、最も強いトゥイッチ反応が現れた位置を、最適刺激位置に決定する。
【００８３】
ステップＳ１０５では、治療を開始する。
具体的には、操作者は、受付部５０１（操作部５１）での入力操作を行い、磁気刺激強度を治療に最適な強度に戻す。そして、受付部５０１において治療開始指令を入力する。コイル駆動制御部５０３は、コイル駆動部１２を制御し、設定された磁気刺激条件に従って治療用の磁気刺激を開始する。
【００８４】
ここで、ステップＳ１０３のコイル位置の仮設定において、調整がうまくいかない場合の対応について説明する。
【００８５】
コイル位置の仮設定では、コイル部１１からの磁気刺激が刺激部位に最短距離で効率よく伝わるよう、コイル部１１の頭部当接面が対象者頭部に密着するよう、コイル部１１の姿勢を調整する場合が多い。また、コイル部１１からの変動磁場の強度（したがって誘導電流の強度）は、コイル形状にもよるが、一般に、指向性を持つことが知られており、コイル部１１を対象者頭部に密着させることにより、磁気刺激の方向を精密に制御している。
【００８６】
しかしながら、実際には、コイル位置の仮設定がうまくいかず、コイル部１１が対象者頭部に対して片当り状態になることがある。これは、コイル部１１と対象者の頭部表面との位置関係が、ヘッドギア３３の各調整機構の調整だけで決まらないこと、各調整機構の調整方向が種々の事情や制約によって単純でないことなどから、コイル部１１の動きが直感的に把握しづらいためであると考えられる。特に、調整方向の一つに対象者の頭部表面に対応した曲線方向が含まれると、調整の難易度は上がる。コイルの片当り状態を解消するための効率の良い調整手順は、片当り状態のパターンに応じてほぼ決まっているが、操作者がこの調整手順に瞬時に到達することは一般的にはそれほど容易ではない。また、一般に、対象者頭部の表面から脳内の治療部位までは、ある程度の距離がある。もし、コイル部１１が対象者頭部に密着していない（例えば片当たり状態となる）ために、磁気刺激の方向が正しい方向からずれてしまうと、前記距離のために、治療部位に所望の電流刺激を生成できないことも考えられる。したがって、治療効果を高めるためには、このような片当たり状態を解消して、コイル部１１と対象者頭部との位置関係を正確に設定することが望まれる。
【００８７】
そこで、このようなコイルの片当り状態を生じた場合には、操作者は、制御装置５０の受付部５０１（操作部５１）を操作して、この片当り状態を解消するための調整手順が案内される機能を利用する。
【００８８】
図９に調整手順を案内する処理の流れを示す。また、図１０に片当り状態選択画面の一例を示す。
【００８９】
まず、操作者は、受付部５０１（ディスプレイ部５２）で表示される、図１０に示すような片当り状態選択画面において、受付部５０１（操作部５１）を操作することにより、現時点における片当り状態を複数の選択肢の中から選ぶ（ステップＴ１０１）。これにより、受付部５０１は、選択された片当り状態を「解消したい片当り状態の入力」として受け付ける（ステップＴ１０２）。すると、案内部５０２は、選択された片当り状態に対応した調整手順情報を調整手順記憶部５０２Ａから読み出す（ステップＴ１０３）。そして、案内部５０２は、その調整手順情報が表す調整手順を視覚的あるいは聴覚的に案内する（ステップＴ１０４）。
【００９０】
案内部５０２は、例えば、調整手順を、ハードウエアとしてのディスプレイ部５２により表示する。調整手順の表示としては、例えば、どの調整機構の可動部材をどの順番でどの向きに調整するか、を示すフロー図を表示することが考えられる。なお、調整手順の案内において、どれだけの量を調整するかについては、案内可能な場合には案内をしてもよいし、操作者の感覚に任せるようにしてもよい。
【００９１】
図１１に、調整手順を示すために案内部５０２により表示されるフロー図の一例を示す。
図１１に示すフロー図は、「頭頂部側」の片当り状態を解消するための調整手順を示したものである。なお、図１１のフロー図において、「相当量」とは、操作者が適当と考える量を意味する。「相当量」に代えて調整機構における可動部材の具体的な移動量を、目盛りの数値を用いて示してもよい。
この調整手順は以下のとおりである。
【００９２】
まず、ステップ１では、押付方向調整機構３３１により、コイル部１１を上側（頭部から離れる向き）に移動させる調整を行う。これは、コイル部１１を頭部から離してコイル部１１を移動させても頭部に当たらないようにするためである。
【００９３】
次に、ステップ２では、高さ調整機構３２５により、体格調整ガイド３２４の高さを上側に移動させる調整を行う。コイル部１１の頭頂部側が片当り状態になる場合、原因は、図１２に示すように、コイル部１１におけるロール方向Ｒの回動軸の位置が、対象者９０の頭部の大きさ又は形状に合った適正な位置よりも低い位置にあるためである。この場合、コイル部１１の回動の軌跡は、側頭部側に行くほど頭部表面との間隔が広がってしまうため、その状態で押付方向Ｆに位置を調整しても片当りになってしまう。そこで、ここでは、図１３に示すように、コイル部１１におけるロール方向Ｒの回動軸の位置を上げて適正な位置に戻すために、体格調整ガイド３２４を上側に移動させる。この場合、コイル部１１の回動の軌跡は、頭部表面に対してほぼ平行になるため、その状態で押付方向Ｆに位置を調整しても、片当りにならない。
【００９４】
次いで、ステップ３では、上下方向調整機構３２３により、後頭部レスト３２１が対象者９０の後頭部に違和感なく合うよう上下方向の調整を行う。これは、ステップ２で体格調整ガイド３２４の高さを変更させたことにより、後頭部レスト３２１の高さも変更されたため、後頭部レスト３２１の調整が再び必要になるためである。
【００９５】
次いで、ステップ４では、押付方向調整機構３３１により、コイル部１１を下側（頭部に近づく向き）に移動させる調整を行う。これは、ステップ１でコイル部１１を対象者頭部から離しているので、元の高さに戻すためである。
【００９６】
【表１】
0006687724.tif 000002
【００９７】
表１には、これまでに示した頭頂部での片当りを調整した結果やそれ以外の部位（ここでは側頭部および後頭部）での片当りを調整した結果の一例を示す。なお、表中の「ステップ」とは作業手順を意味する。したがって、ステップ４で完了したということは四つの手順で調整終了したということである。また、表中の「移動量」は本システムにおける移動量の単位量で表されており、ヨー方向３３２、ピッチ方向３３３およびロール方向３３４は各調整機構に沿った曲線的な移動量（単位；°）であり、それ以外は直線的な移動量（単位；ｍｍ）である。
【００９８】
このように、操作者は、表示された調整手順に従って調整を行うだけで、コイルの片当り状態を解消することができる。
【００９９】
以上、第１実施形態によれば、受付部５０１が、コイル部１１の位置及び姿勢に対する所望の変更を受け付け、案内部５０２が、その変更を成すような調整手順を案内するので、操作者は、案内された調整手順に従って調整を行うだけで、コイル部１１の位置及び姿勢に対する所望の変更を成すことができ、操作者は、位置決め機構部３０の位置決めを迅速に行うことができる。
【０１００】
特に、第１実施形態では、複数種類の調整機構は、対象者頭部の表面に対応した曲線方向に沿って可動部材を移動させるための調整機構を含んでいる。この実施形態では、調整機構全体として（つまり位置決め機構部３０として）、コイル部１１の位置及び姿勢を、ヨー、ピッチ、ロール、並進（押付方向）の少なくとも４自由度で調整できるようになっている。この場合、コイル部１１の位置は、普段なじみのある直交系の座標軸に沿った動きとはならず、所望の方向への移動や所望の回転方向への向き変更を行うための調整手順を、直感的に思いつきにくい。よって、このような第１実施形態によれば、調整手順を案内することによる調整の迅速化への貢献度が大きい。
【０１０１】
また、第１実施形態によれば、操作者は、調整手順の案内を繰り返し受けることで、位置決め機構部３０における構造を早期に把握することができる。さらには、位置決め機構部３０における位置決めの調整技術を早期に習得することができる。
【０１０２】
（第２実施形態）
第２実施形態に係る経頭蓋磁気刺激システムは、位置決め機構部の各調整機構における可動部材の位置情報を信号に変換して制御装置に送り、当該位置情報を用いて位置決め機構部の調整手順を案内するよう構成されている。
【０１０３】
第２実施形態に係る経頭蓋磁気刺激システムの構成について説明する。
【０１０４】
図１４は、第２実施形態に係る経頭蓋磁気刺激システム２の構成を概略的に示す図である。
【０１０５】
図１４に示すように、経頭蓋磁気刺激システム２は、磁気刺激回路部１０と、位置決め機構部３０と、位置情報表示部４０と、位置情報出力部６０と、制御装置５０とを有している。
【０１０６】
磁気刺激回路部１０、位置決め機構部３０及び位置情報表示部４０は、第１実施形態と同様の構成である。よって、ここではこれらの構成の説明を省略する。
【０１０７】
位置情報出力部６０は、位置決め機構部３０の各調整機構における可動部材の位置情報を信号として出力する。位置情報出力部６０は、制御装置５０と接続されており、上記信号を制御装置５０に送る。位置情報出力部６０と制御装置５０との接続は、有線及び無線のいずれであってもよい。
【０１０８】
位置情報出力部６０は、複数の位置検出部６１を有している。位置検出部６１は、一つの調整機構に少なくとも一つずつ設けられている。位置検出部６１は、対応する調整機構における可動部材の位置を検出してその位置を表す情報を光や電気などによる信号として出力する。
【０１０９】
位置検出部６１としては、例えば、傾斜センサ、ロータリーエンコーダ、ワイヤー式エンコーダ、光学式または磁気式のリニアエンコーダ、出力ポート付きポジションインジケータ等を考えることができる。
【０１１０】
図１５に第２実施形態における制御装置のハードウエア構成例を示す。
【０１１１】
図１５に示すように、制御装置５０は、第１実施形態と同様、主要部として、操作部５１と、ディスプレイ部５２と、演算部５３と、インタフェース部５４と、記憶部５５とを有している。
【０１１２】
インタフェース部５４は、位置情報出力部６０から送られてくる信号を受信し、演算部５３に送る。
【０１１３】
演算部５３は、インタフェース部５４から送られてくる位置情報を処理する。第２実施形態の装置における各ハードウエア要素は、前記以外の点については、基本的に、前記した第１実施形態同様に構成できる。
【０１１４】
図１６に第２実施形態における制御装置の機能ブロック図を示す。
【０１１５】
ここでは、図１６に示すように、制御装置５０は、機能ブロックとして、受付部５０１、案内部５０２、コイル駆動制御部５０３、及び取得部５０４を有する。
【０１１６】
受付部５０１は、操作者の操作により、磁気刺激条件、磁気刺激発生指令、治療開始指令などの入力を受け付ける。また、受付部５０１は、操作者がコイル部１１の片当り状態を表す複数の選択肢の中から一つを選ぶことにより、その片当り状態の入力を受け付ける。
【０１１７】
取得部５０４は、位置情報出力部６０から信号を介して送られてくる各調整機構における可動部材の位置情報を、現在位置情報として取得する。現在位置情報の取得は、比較的短い周期で繰り返し行われ、逐次更新される。
【０１１８】
案内部５０２は、コイル部１１の片当り状態が入力されると、その片当り状態を解消するための調整手順を、取得部５０４により取得された各調整機構における可動部材の位置情報を用いて案内する。具体的には、調整手順を表示するとともに、各調整機構における可動部材の現在位置を認識して、調整の進捗をモニタリングし、各時点で適切な案内を行う。
【０１１９】
なお、本実施形態における受付部５０１、案内部５０２、及び取得部５０４は、それぞれ、本発明における受付手段、案内手段、及び取得手段の一例である。
【０１２０】
以下、コイル位置の仮設定において、各調整機構の位置情報を用いて調整手順を案内する場合の処理の流れについて説明する。
【０１２１】
図１７は、各調整機構の位置情報を用いて調整手順を案内する場合の処理の流れを示すフロー図である。
【０１２２】
ステップＴ２０１では、片当り状態を選択する。
具体的には、操作者が、複数の選択肢の中から現在の片当り状態を選択する。
【０１２３】
ステップＴ２０２では、片当り状態の入力を受け付ける。
具体的には、受付部５０１が、選択された片当り状態の入力を受け付ける。
【０１２４】
ステップＴ２０３では、調整手順情報を読み出す。
具体的には、案内部５０２が、選択された片当り状態を解消するための調整手順を表す調整手順情報を、調整手順記憶部５０２Ａから読み出す。
【０１２５】
ステップＴ２０４では、調整手順と機構部のイメージ図とを表示する。
具体的には、案内部５０２が、読み出した調整手順情報に基づいて、調整手順を示すフロー図を表示する。例えば、どの調整機構をどの順番でどの向きに調整するのかを、調整機構ごとに各調整ステップとして分けて表示する。また、案内部５０２は、位置決め機構部３０の各調整機構をモデル化したイメージ図を表示する。
【０１２６】
ステップＴ２０５では、現時点における調整ステップの案内をする。
具体的には、案内部５０２が、図１８に示すように、調整手順を示すフロー図の中で、現時点の調整対象である調整機構の調整ステップを強調して表示する。なお、図１８のフロー図において、目標位置及び現在位置の数値は、調整機構における可動部材の位置に対応した目盛りを示している。「相当量」とは、操作者が適当と考える量という意味である。
【０１２７】
また、案内部５０２が、図１９に示すように、位置決め機構部３０のイメージ図の中で、現時点の調整対象である調整機構を強調して表示するとともに、調整する向きを矢印で表示する。その傍らには、現時点の調整対象である調整機構における可動部材の位置を表す直線状のインジケータを表示し、インジケータ上に目標位置と現在位置とを示すマークをそれぞれ表示する。案内部５０２は、更に、現時点の調整対象である調整機構と調整方向を音声で案内する。例えば、「△△番の調整機構を□□方向へ調整してください」などと案内する。
【０１２８】
なお、調整機構における可動部材の現在位置は、取得部５０４により取得された位置情報から導出される。目標位置は、調整前の現在位置に調整すべき方向へ調整すべき量を加算して導出される。調整すべき量はデフォルトで決まっている量（例えば片当たり解消用として事前に設定された相対移動量あるいは目標位置）を用いてもよいし、何らかの情報や条件等に基づいて決定（例えばシステム側の演算処理により動的に決定）してもよい。なお、強調表示は、例えば、調整対象となる調整機構のイメージ図や調整ステップの色を変えたり、網掛けをしたりすることで実現できる。
【０１２９】
ステップＴ２０６では、案内に従って調整機構の調整を開始する。
具体的には、操作者９１は、現時点の調整対象である調整機構において、インジケータを見ながら現在位置が目標位置に一致するよう調整を開始する。案内部５０２は、インジケータ上の現在位置を示すマークの表示をほぼリアルタイムで更新する。
【０１３０】
ステップＴ２０７では、現在位置と目標位置の一致判定を行う。
具体的には、案内部５０２は、調整機構の現在位置が目標位置に一致するか否かを判定する。この一致は、完全一致だけでなく、所定の許容範囲内で一致する場合も含む。一致した場合には、現時点の調整対象である調整機構での調整は完了したと認識し、次のステップに進む。一致判定できない場合は、次の手順でこのステップＴ２０７を終了させることができる。すなわち、調整機構の調整において、目標位置が明確に導出できないもの、例えば、対象者の体格、頭部の位置や形状に合わせて違和感のないように調整するものなどの場合には、操作者が、調整完了後、操作部５１において「調整完了」の入力を行う。案内部５０２は、この「調整完了」の入力によって、調整完了を認識する。調整完了が認識されたら、次のステップに進む。
【０１３１】
ステップＴ２０８では、次に調整すべき調整ステップ（つまり次の調整対象となる調整機構）の有無を判定する。
具体的には、案内部５０２が、次の順番の調整すべき調整機構があるか否かを判定する。あれば、次の順番の調整機構を現時点での調整対象となる調整機構に設定してステップＴ２０５に戻り、なければ案内を終了する。
【０１３２】
図２０及び図２１に、コイルの頭頂部側の片当り状態を解消するための調整手順を案内する場合の表示例を示す。本例では、現時点で調整すべき調整ステップが２番目の調整ステップである場合の例である。調整手順を表すフロー図の中で、１番目の調整ステップが終了し、２番目の調整ステップを強調表示している。また、位置決め機構部３０のイメージ図の中で、２番目の調整ステップで調整する調整機構を強調表示するとともに、その調整方向を図２１中において矢印で表示している。
【０１３３】
このような第２実施形態によれば、各調整機構における可動部材の位置情報を逐次取得することができ、より具体的な調整手順の案内や調整の進捗に応じた案内が可能となる。第２実施形態における他の構成及び利点は、前記した第１実施形態と同様なので、これ以上の説明は省略する。
【０１３４】
なお、取得された位置情報は、必要に応じて、経頭蓋磁気刺激システム２とは異なる装置等に、有線または無線で送信するようにしてもよい。
【０１３５】
また、案内部は、制御装置５０とは異なる装置等に設けられていてもよく、制御装置５０が案内部から受け取った調整手順や可動部材の位置を案内するようにしてもよい。
【０１３６】
上記装置等は、例えばサーバやワークステーションである。上記装置等は、経頭蓋磁気刺激システムに対して遠隔に存在するものであってもよいし、近隣に存在するものであってもよい。
【０１３７】
（第１変形例）
第１及び第２実施形態の第１変形例について説明する。
【０１３８】
コイル位置の仮設定において、操作者は、コイル部１１の対象者頭部に対する密着状態を改善したいと考える場合もある。
【０１３９】
そこで、本例では、受付部５０１は、所定の（つまり不具合のある）密着状態が改善されるようなコイル部１１の位置及び姿勢の少なくとも一方の変更を、上記の「所望の変更」として受け付けるものとする。
【０１４０】
また、本例では、「複数種類の変更」は、複数種類の不適正な密着状態の各々についてその密着状態を解消するための変更である。複数種類の不適正な密着状態は、コイル部１１の位置を押付方向Ｆに調整してもその可動範囲内に適正な位置がなく、コイル部１１の頭部当接面が対象者頭部に十分密着していない密着不足状態か、あるいはコイル部１１の頭部当接面が対象者頭部に過剰に押し付けられており対象者が不快に感じる過密着状態かによって分類される。なお、密着状態の分類は一例であり、これらに限定されるものではない。
【０１４１】
調整手順記憶部５０２Ａは、事前に登録されている複数種類の密着状態にそれぞれが対応した複数の調整手順情報を記憶している。
【０１４２】
案内部５０２は、入力された密着状態に対応した調整手順情報を、調整手順記憶部５０２Ａから読み出し、その調整手順情報が表す調整手順を案内する。
【０１４３】
このような第１変形例によれば、操作者は、案内された調整手順に従って調整するだけで、コイルの不適正な密着状態を解消させることができる。
【０１４４】
（第２変形例）
第１及び第２実施形態の第２変形例について説明する。
【０１４５】
コイル位置の仮設定において、操作者は、コイル部１１の対象者頭部に対する接触状態及び密着状態を改善したいと考えるだけでなく、現在の位置や姿勢を相対的に所定量だけ変更したいと考える場合もある。これは、場合によっては意図的に片当り状態にすることも含まれる。
【０１４６】
そこで、本例では、受付部５０１は、コイル部１１の位置及び姿勢の少なくとも一方における相対的な所定量の変更を入力されるものとする。また、受付部５０１は、当該相対的な所定量の変更を、上記の「所望の変更」として受け付けるものとする。
【０１４７】
本例では、上記の「相対的な所定量の変更」は、所定の方向における所定の量の移動、所定の回転方向における所定の回転角度量の回転などである。
【０１４８】
また、本例では、「複数種類の変更」は、コイル部１１の移動方向及び移動量の組合せが互いに異なる変更、あるいは、コイル部１１の回転方向及び回転角度量の組合せが互いに異なる変更である。移動方向及び移動量の選択肢としては、例えば、移動方向は、水平方向における前、後、左、右、鉛直方向における上、下とし、移動量は、１０ｍｍ、２０ｍｍ、３０ｍｍとすることができる。また、回転方向及び回転角度量の選択肢としては、例えば、回転方向は、前、後、右、左とし、回転角度量は、１０°、２０°、３０°とすることができる。
【０１４９】
調整手順記憶部５０２Ａは、事前に登録されている移動方向及び移動量に対応した調整手順情報と、事前に登録されている回転方向及び回転角度量に対応した調整手順情報とを記憶している。
【０１５０】
案内部５０２は、入力された移動方向及び移動量あるいは回転方向及び回転角度量に対応した調整手順情報を、調整手順記憶部５０２Ａから読み出し、その調整手順情報が表す調整手順を案内する。
【０１５１】
このような第２変形例によれば、操作者は、案内された調整手順に従って調整するだけで、コイル部１１を所望の方向に所望の量だけ移動させたり、所望の回転方向に所望の角度量だけ回転させたりすることができる。
【０１５２】
（第３実施形態）
第３実施形態に係る経頭蓋磁気刺激システムは、第２実施形態と同様の構成であるが、制御装置が有する機能ブロックの機能が異なる。
【０１５３】
受付部５０１は、コイル部１１の目標となる位置及び姿勢の少なくとも一方を入力される。つまり、この実施形態の受付部５０１は、コイル部１１が当該目標となる位置及び姿勢を取るようなコイル部１１の位置及び姿勢の変更を、「所望の変更」として受け付ける。ここでは、操作者が、位置決め機構部３０の座標系において所望の位置及び姿勢（向き）を入力し、受付部５０１が、それを受け付ける。なお、位置決め機構部３０の座標系における所望の位置及び姿勢（向き）の入力は、例えば、次のように行う。
【０１５４】
当該座標系に対象者９０の頭部とコイル部１１とをそれぞれ任意の位置及び姿勢に配置することができる仮想空間を表す３次元画像をディスプレイ部５２に表示する。操作者は、収集した対象者の情報を基に、当該仮想空間内で頭部とコイル部（もしくは磁気刺激を与える位置と向きをモデル化した画像）とを、実際の治療に際してあるべき適切な位置関係に配置する。この位置関係に基づいて、コイル部１１の位置決め機構部３０の座標系における所望の位置及び姿勢を特定する。
【０１５５】
なお、対象者の頭部を表す３次元画像は、実際の画像ではなくモデル化した画像であってもよい。また、コイル部の画像は、磁気刺激を与える位置と向きをモデル化した画像であってもよい。
【０１５６】
取得部５０４は、位置情報出力部６０から信号を介して送られてくる各調整機構における可動部材の位置情報を、現在位置情報として取得する。現在位置情報の取得は、比較的短い周期で繰り返し行われ、逐次更新される。
【０１５７】
案内部５０２は、取得部５０４により取得された現在位置情報と、受付部５０１により受け付けたコイル部１１の目標の位置及び姿勢とに基づいて、調整手順を演算により求め、それを案内する。調整手順は、どの調整機構をどの順番でどの位置（目盛り）に調整するかを含んでいる。
【０１５８】
以下、コイル部１１を目標の位置及び姿勢に変更するための調整手順を案内する場合の処理の流れについて説明する。
【０１５９】
図２２は、コイル部１１を目標の位置及び姿勢に変更するための調整手順を案内する場合の処理の流れを示すフロー図である。
【０１６０】
ステップＴ３０１では、所望の位置及び姿勢（向き）を入力する。
具体的には、操作者が、コイル部の目標の位置及び姿勢を入力する。
【０１６１】
ステップＴ３０２では、所望の位置及び姿勢の入力を受け付ける。
具体的には、受付部５０１が、その目標の位置及び姿勢の入力を受け付ける。
【０１６２】
ステップＴ３０３では、調整手順を求める。
具体的には、案内部５０２が、コイル部１１を、現在の位置及び姿勢から、受け付けた目標の位置及び姿勢に変更するための調整手順を演算により求める。
【０１６３】
ステップＴ３０４では、調整手順を案内する。
具体的には、案内部５０２が、ステップ３０２で求めた調整手順を案内する。案内は、第２実施形態と同様、調整手順を表示するとともに、各調整機構における可動部材の現在位置を認識して、調整の進捗をモニタリングし、各時点で適切な案内を行う。
【０１６４】
（第４実施形態）
第４実施形態に係る経頭蓋磁気刺激システムは、コイル部の対象者頭部に対する位置関係を、センサを用いて定量的に特定することにより、コイル部の対象者頭部に対する接触具合を自動で検出し、その結果に基づいて上記接触具合を改善又は解消するための位置決め機構部の調整手順を案内するよう構成されている。
【０１６５】
なお、上記の「接触具合」は、例えば、前述の実施形態における密着状態（密着不足、過密着など）や片当り状態等を含む。
【０１６６】
第４実施形態に係る経頭蓋磁気刺激システムの構成について説明する。
【０１６７】
図２３は、第４実施形態に係る経頭蓋磁気刺激システム４の構成を概略的に示す図である。
【０１６８】
図２３に示すように、経頭蓋磁気刺激システム４は、磁気刺激回路部１０と、位置決め機構部３０と、位置情報表示部４０と、位置情報出力部６０と、センサ部７０と、制御装置５０とを有している。なお、図２３では、位置決め機構部３０を示すブロック内にセンサ部７０が含まれているが、これは、センサ部７０が、位置決め機構部３０と物理的に近接している例を示すためであり、これら要素間の包含関係を示すものではない。
【０１６９】
本実施形態における磁気刺激回路部１０と、位置決め機構部３０と、位置情報表示部４０と、位置情報出力部６０とは、第２実施形態と同様の構成である。また、磁気刺激回路部１０は、第２実施形態と同様に、コイル部１１と、コイル駆動部１２とを有している。
【０１７０】
センサ部７０は、コイル部１１自体に、または、コイル部１１及び対象者頭部を俯瞰できる位置に設置された１以上のセンサを含んでおり、コイル部１１の対象者頭部に対する位置関係が反映された信号を出力する。センサ部７０の詳細については後述する。
【０１７１】
図２４は、第４実施形態における制御装置５０の機能ブロック図である。
【０１７２】
図２４に示すように、本実施形態における制御装置５０は、受付部５０１と、案内部５０２と、コイル駆動制御部５０３と、取得部５０４と、接触具合検出部５０５とを有している。なお、接触具合検出部５０５は、本願発明における検出手段の一例である。
【０１７３】
本実施形態における受付部５０１と、案内部５０２と、コイル駆動制御部５０３と、取得部５０４とは、少なくとも第２実施形態と同様の機能を有している。
【０１７４】
接触具合検出部５０５は、センサ部７０から出力された信号に基づいて、コイル部１１の対象者頭部に対する位置関係を定量的に特定し、コイル部１１の密着状態や片当り状態を検出する。すなわち、接触具合検出部５０５は、センサ部７０の出力信号に基づいて、コイル部１１が対象者頭部に対して適正な圧力で密着しているか、片当りになっているのか否か、片当りになっている場合にはコイル部１１が対象者の頭部表面に対してどの向きにどの程度ずれているのか、若しくはどの程度傾いているのか等を高分解能に検出する。
【０１７５】
センサ部７０は、例えば、撮像センサ、超音波センサ、赤外線センサ、圧力センサ、機械スイッチセンサ、静電センサ、加速度センサ等のうち一つ以上かつ一種類以上のセンサを含んでいる。
【０１７６】
例えば、センサ部７０は、コイル部１１の頭部当接面の近傍に、又はコイル部１１及び対象者頭部を俯瞰できる位置に、１又は複数の撮像センサが取り付けられた構成とすることができる。この場合、撮像センサは、対象者頭部をあるいはコイル部１１と対象者頭部の双方を撮像し、得られた画像信号を出力する。接触具合検出部５０５は、この画像信号に基づいて解析処理を実行し、対象者頭部を、あるいはコイル部１１と対象者頭部の双方を画像認識し、その結果からコイル部１１の頭部表面に対する片当り状態を検出する。
【０１７７】
また例えば、センサ部７０は、コイル部１１の頭部当接面上、当該頭部当接面の近傍、あるいは当該頭部当接面の外縁部等に、複数の超音波センサが取り付けられた構成とすることができる。この場合、各超音波センサは、当該センサから対象者頭部までの距離に応じた信号をそれぞれ出力する。接触具合検出部５０５は、これらの信号に基づいて解析処理を実行し、各センサの位置から対象者の頭部表面までの距離を認識し、その結果からコイル部１１の頭部表面に対する片当り状態を検出する。
【０１７８】
また例えば、センサ部７０は、コイル部１１の頭部当接面上に、または当該頭部当接面の近傍に、あるいは当該頭部当接面の外縁部に、複数の赤外線センサが取り付けられた構成とすることができる。この場合、各赤外線センサは、当該センサから対象者頭部までの距離に応じた信号をそれぞれ出力する。接触具合検出部５０５は、これらの信号に基づいて解析処理を実行し、各センサの位置から対象者の頭部表面までの距離を認識し、その結果からコイル部１１の頭部表面に対する片当り状態を検出する。
【０１７９】
また例えば、センサ部７０は、コイル部１１の頭部当接面上に、または当該頭部当接面の外縁部に、複数の圧力センサが取り付けられた構成とすることができる。この場合、各圧力センサは、対象者頭部と接触して当該頭部から加えられた圧力に応じた信号をそれぞれ出力する。接触具合検出部５０５は、これらの信号に基づいて解析処理を実行する。これにより、接触具合検出部５０５は、各センサの位置について、対象者頭部と接触しているか、接触している場合にはどの程度の密着度で接触しているかを認識し、その結果からコイル部１１の頭部表面に対する密着状態や片当り状態を検出する。
【０１８０】
また例えば、センサ部７０は、コイル部１１の頭部当接面上に、または当該頭部当接面の外縁部に、複数の機械スイッチセンサが取り付けられた構成とすることができる。この場合、各機械スイッチセンサは、通常はオフを保っているが、スイッチ部分が対象者の頭部と接触して一定以上の力で所定量押し込まれるとオンになり、そのオンオフ状態を表す信号をそれぞれ出力する。接触具合検出部５０５は、これらの信号に基づいて解析処理を実行する。これにより、接触具合検出部５０５は、各センサの位置について、対象者頭部と接触しているか否かを認識し、その結果からコイル部１１の頭部表面に対する片当り状態を検出する。なお、機械スイッチセンサが、スイッチ部分の押し込まれる量に応じて複数段階の状態を取ることができ、その状態を表す信号を出力するよう構成されている場合には、コイル部１１の頭部表面に対する密着状態をも検出することができる。
【０１８１】
また例えば、センサ部７０は、コイル部１１の頭部当接面上に、または当該頭部当接面の外縁部に、複数の静電センサが取り付けられた構成とすることができる。この場合、各静電センサは、当該センサから対象者頭部までの距離に応じた信号や、当該センサが対象者頭部と接触しているか否かを表す信号をそれぞれ出力する。接触具合検出部５０５は、これらの信号に基づいて解析処理を実行する。これにより、接触具合検出部５０５は、各センサの位置について、対象者頭部との距離や接触の有無を認識し、その結果からコイル部１１の頭部表面に対する片当り状態を検出する。
【０１８２】
また例えば、センサ部７０は、上述したセンサに加え、コイル部１１に加速度センサをさらに取り付けた構成とすることもできる。この場合、加速度センサは、コイル部１１の直交座標系における当該センサに加わる重力加速度の各成分を表す信号を出力する。接触具合検出部５０５は、これらの信号に基づき解析処理を実行する。これにより、接触具合検出部５０５は、コイル部１１の傾きを認識し、その結果から別のセンサで得たコイル部１１の位置や姿勢に関する情報を補って、対象者頭部に対する片当り状態を精度よく検出する。
【０１８３】
また例えば、センサ部７０は、上述したセンサを組み合せた構成としてもよい。
【０１８４】
上述の如く、接触具合検出部５０５が、センサ部７０からの信号に基づいてコイル部１１の不適正な密着状態や片当り状態を検出すると、受付部５０１は、それらの状態の入力を受け付け、案内部５０２は、その密着状態を改善したり、その片当り状態を解消したりするための調整手順を求め、操作者に向けて案内する。
【０１８５】
なお、このときの調整手順の求め方、すなわち、制御装置５０における受付部５０１、案内部５０２及び接触具合検出部５０５の動作としては、例えば、以下の３通りのケースが考えられる。
【０１８６】
第１のケースでは、接触具合検出部５０５は、コイル部１１の接触具合すなわち密着状態や片当り状態を定量的に表すデータを受付部５０１に入力する。この場合、案内部５０２は、受付部５０１に入力されたデータに基づいて、各調整機構の自由度を考慮した３次元解析などの手法により、各調整機構の調整方向及び調整量（移動量）あるいは目標位置（例えば、位置情報表示部４０が表示する数値の目標値）を、計算上の解として求める。なお、案内部５０２は、通常、調整量若しくは目標位置を演算により求めるが、予め用意した対応表を用いて求めるようにしてもよい。
【０１８７】
第２のケースでは、接触具合検出部５０５は、コイル部１１の接触具合すなわち密着状態や片当り状態を定量的に表すデータから、コイル部１１の密着状態や片当り状態の種類を特定し、これを受付部５０１に入力する。この場合、案内部５０２は、受付部５０１に入力された、密着状態や片当り状態の種類に応じて、対応する調整手順を演算または対応表により求める。
【０１８８】
第３のケースでは、接触具合検出部５０５は、コイル部１１の接触具合すなわち密着状態や片当り状態を定量的に表すデータを、あるいは、そのデータから特定されるコイル部１１の密着状態や片当り状態の種類を、操作者に報知する。操作者は、その報知された情報を基に、コイル部１１の密着状態や片当り状態の種類を、受付部５０１に入力する。密着状態や片当り状態の種類の入力は、例えば第２実施形態と同様に、操作者が、予め用意された複数の選択肢の中から一つを選択することにより行う。案内部５０２は、入力された種類の密着状態や片当り状態を改善するための調整手順を、演算によりあるいは対応表により求める。
【０１８９】
なお、案内部５０２による調整手順の案内方法は、前述の実施形態と同様の方法を考えることができる。
【０１９０】
このような第４実施形態によれば、接触具合検出部５０５は、センサ部７０を用いてコイル部１１の頭部に対する接触具合を検出し、受付部５０１は、上記検出された接触具合の入力を受け付けるので、コイル部１１の頭部に対する接触具合、特に密着状態や片当り状態を自動で検出し、その結果に基づいて調整手順を案内することができ、操作者は、経験や勘に頼ることなく上記接触具合を特定した上で、調整手順の案内を受けることができる。
【０１９１】
また、受付部５０１が、上記検出された接触具合の入力を自動で受け付ける場合には、操作者自身による操作を介在させることなく、調整手順の案内を受けることができ、操作者の判断や操作に係る負担を軽減させることができる。
【０１９２】
また、接触具合検出部５０５が、上記接触具合を定量的に検出し、案内部５０２は、その定量的に検出された接触具合に基づいて、調整機構の調整量または目標位置を求める場合には、操作者は、より精度の高い調整手順を案内されることを期待できる。
【０１９３】
以上、発明の実施形態について説明したが、本発明の実施形態は、これらに限定されず、本発明の趣旨を逸脱しない範囲内において、種々の変更が可能である。
【０１９４】
例えば、操作部５１及びディスプレイ部５２は、タッチパネルを有するモバイル端末であってもよい。これにより、操作者は、調整手順を手元で参照しながら調整機構の調整を行うことができ、利便性が良い。
【０１９５】
また例えば、経頭蓋磁気刺激システムは、疼痛緩和治療用に限定されず、うつ病治療用や研究用であってもよい。
【０１９６】
また例えば、コイル部の「所望の変更」は、コイル部の位置及び姿勢の少なくとも一方に対する変更であればよい。
【０１９７】
また例えば、位置決め機構部は、コイル部の移動が対象者の頭部表面に対応した曲線に沿って移動するよう制御されるものであればいずれの構成であってもよく、ロボットアームのようなものであってもよい。
【符号の説明】
【０１９８】
１，２  経頭蓋磁気刺激システム
１０  磁気刺激回路部
１１  コイル部
１２  コイル駆動部
３０  位置決め機構部
３１  椅子
３２  体格調整機構
３２１  後頭部レスト
３２２  前後方向調整機構
３２３  上下方向調整機構
３２４  体格調整ガイド
３２５  高さ調整機構
３３  ヘッドギア
３３１  押付方向調整機構
３３２  ヨー方向調整機構
３３３  ピッチ方向調整機構
３３４  ロール方向調整機構
３３５  ヘッドギアガイド
３３６  着脱機構
４０  位置情報表示部
４１  位置表示部
５０  制御装置
５１  操作部
５２  ディスプレイ部
５３  演算部
５４  インタフェース部
５５  記憶部
６０  位置情報出力部
６１  位置検出部
７０  センサ部
９０  対象者
５０１  受付部
５０２  案内部
５０３  コイル駆動制御部
５０４  取得部
５０５  接触具合検出部
【図１】
0006687724.tif 000003
【図２】
0006687724.tif 000004
【図３】
0006687724.tif 000005
【図４】
0006687724.tif 000006
【図５】
0006687724.tif 000007
【図６】
0006687724.tif 000008
【図７】
0006687724.tif 000009
【図８】
0006687724.tif 000010
【図９】
0006687724.tif 000011
【図１０】
0006687724.tif 000012
【図１１】
0006687724.tif 000013
【図１２】
0006687724.tif 000014
【図１３】
0006687724.tif 000015
【図１４】
0006687724.tif 000016
【図１５】
0006687724.tif 000017
【図１６】
0006687724.tif 000018
【図１７】
0006687724.tif 000019
【図１８】
0006687724.tif 000020
【図１９】
0006687724.tif 000021
【図２０】
0006687724.tif 000022
【図２１】
0006687724.tif 000023
【図２２】
0006687724.tif 000024
【図２３】
0006687724.tif 000025
【図２４】
0006687724.tif 000026